(57)【特許請求の範囲】
【請求項１】
円筒状の胴板の上端に屋根が接合されて一体構築してある自立屋根付きタンクの該胴板と屋根の接合部を円周方向に切断すると共に、２つの切断機を平行に上下動できるように備え且つ前後方向に移動できるように楔を備えた切断ユニットを、円周方向に所要間隔を隔てて配置して、上端部を屋根の周辺部にそれぞれ固定し、次に、上記各切断ユニットの切断機にて、胴板の上端部に縦方向に延びる所要長さのスリットを２本宛設けて、該２本のスリット間に狭幅胴板片を形成し、続いて、上記各狭幅胴板片の上端部に、切断ユニットに備えた楔を打ち込んで狭幅胴板片を内側に曲げてその上に該楔を載せると共に該楔を切断ユニットに固定して屋根の自重を切断ユニットを介して上記内側へ曲げた狭幅胴板片で受けるようにし、次いで、各狭幅胴板片の間に形成された広幅胴板片を外側へ曲げるための楔を外側から打ち込んで該楔を屋根の下端部に固定し、以後、上記切断ユニットの切断機にて胴板を切断して上記スリットを順次延長して行きながら、屋根の自重によって狭幅胴板片を内側へ押し曲げ且つ広幅胴板片を外側に押し曲げて展開させつつ、屋根を低所まで徐々に下降させ、低所にて、屋根及び胴板を細かく切断して解体することを特徴とする自立屋根付きタンクの解体法。
【請求項２】
狭幅胴板片又は広幅胴板片の上端部に打ち込む楔を、ジャッキで押し込むようにする請求項１記載の自立屋根付きタンクの解体法。
【発明の詳細な説明】
【０００１】
【発明の属する技術分野】
本発明は自立屋根付きタンクを能率よく解体するための解体法に関するものである。
【０００２】
【従来の技術】
使用済みとなった自立屋根付きタンクを解体する場合、これまでは、先ずガス切断機やグラインダー等を用いて屋根を順次細かく切断して行き、細かく切断した屋根の部分をクレーンにより地上に吊り降ろす作業を何回も繰り返すことによって、屋根を解体するようにし、しかる後、屋根を撤去した後に残っている胴板の部分を、ガス切断機やグラインダー等を用いて適宜解体するようにしているのが一般的である。
【０００３】
【発明が解決しようとする課題】
ところが、上記従来における自立屋根付きタンクの解体法では、屋根を高所にて細かく切り刻んだものをその都度クレーンで吊り降ろすようにしているため、非常に手間が掛かって解体作業全体に要する期間が長くなる問題があり、又、クレーンを長期間にわたって拘束しなければならない問題がある。
【０００４】
そこで、本発明は、クレーンを用いることなく屋根を下降させるようにして、能率よく解体を行うことができるようにしようとするものである。
【０００５】
【課題を解決するための手段】
本発明は、上記課題を解決するために、円筒状の胴板の上端に屋根が接合されて一体構築してある自立屋根付きタンクの該胴板と屋根の接合部を円周方向に切断すると共に、２つの切断機を平行に上下動できるように備え且つ前後方向に移動できるように楔を備えた切断ユニットを、円周方向に所要間隔を隔てて配置して、上端部を屋根の周辺部にそれぞれ固定し、次に、上記各切断ユニットの切断機にて、胴板の上端部に縦方向に延びる所要長さのスリットを２本宛設けて、該２本のスリット間に狭幅胴板片を形成し、続いて、上記各狭幅胴板片の上端部に、切断ユニットに備えた楔を打ち込んで狭幅胴板片を内側に曲げてその上に該楔を載せると共に該楔を切断ユニットに固定して屋根の自重を切断ユニットを介して上記内側へ曲げた狭幅胴板片で受けるようにし、次いで、各狭幅胴板片の間に形成された広幅胴板片を外側へ曲げるための楔を外側から打ち込んで該楔を屋根の下端部に固定し、以後、上記切断ユニットの切断機にて胴板を切断して上記スリットを順次延長して行きながら、屋根の自重によって狭幅胴板片を内側へ押し曲げ且つ広幅胴板片を外側に押し曲げて展開させつつ、屋根を低所まで徐々に下降させ、低所にて、屋根及び胴板を細かく切断して解体する自立屋根付きタンクの解体法とする。
【０００６】
切り離した屋根の重量を利用して胴板を縦割りしながら屋根を下降させることから、屋根を低所で解体でき、高所でのクレーンによる作業がなくなる。
【０００７】
又、狭幅胴板片や広幅胴板片の上端部に打ち込む楔を、ジャッキで押し込むようにすると、作業能率を更によくすることができる。
【０００８】
【発明の実施の形態】
以下、本発明の実施の形態を図面を参照して説明する。
【０００９】
図１（イ）（ロ）（ハ）（ニ）（ホ）乃至図７は本発明の実施の一形態を示すもので、底板２上に立設した円筒状の胴板３の上端部に、ドーム型の屋根４が接合されて一体構築されている自立屋根付きタンク１において、胴板３を唐竹割りする如く切断する複数の切断ユニット５を屋根４に固定して用い、且つ上記屋根４を、自重を利用して下降させ、低所で、屋根４及び胴板３を細かく切り刻むようにする。
【００１０】
上記切断ユニット５は、図２及び図３にその一例の詳細を示す如く、上下方向に延びる狭幅のフレーム６の前面上部位置に、屋根４の外周部の湾曲形状に沿うように張り出させた屋根４への取付部７を設け、又、上記フレーム６内に、スクリューロッド８を上下方向に配置して、該スクリューロッド８の上端を、上段部の支持プレート９上に設置したモータ１０の軸に連結すると共に、スクリューロッド８の下端部を軸受１１により回転自在に支持させ、且つ上記スクリューロッド８に、スクリューロッド８の回転によって上下方向へのみ変位できるように昇降ブロック１２を螺着し、該昇降ブロック１２に、切断機として、前方へ向けて突出する２本の切断トーチ１３を左右方向へ所要の幅間隔が形成されるように保持させ、更に、上記フレーム６内に、先端部を上向きの楔部１５とし且つ中央部に前後方向（矢印Ｘ方向）に延びる長孔１６を上下方向に貫通させた楔ブロック１７を、上記昇降ブロック１２よりも上方位置に前後方向へ移動自在に配置して長孔１６内にスクリューロッド８を挿通させて組み入れた構成としてある。１８は切断トーチ１３のガスホースを示す。
【００１１】
タンク１を解体する手順を具体的に説明すると、先ず、図１（イ）に示す如く胴板３と屋根４の接合部１９に、図示しない高所作業車を使用して円周方向の切断線２０を入れて屋根４を切り離し、次いで、図１（ロ）に示す如く、切断ユニット５を、切断線２０の位置に対応させて、たとえば、円周方向に等間隔にて８個所取り付ける。この切断ユニット５は、図２及び図３に詳細を示す如く、胴板３との間に所要の隙間が形成されるように、フレーム６の前面上部位置に設けてある取付部７を屋根４の下端部に溶接により取り付けるようにする。なお、図１（イ）（ロ）（ハ）（ニ）（ホ）においては、図面を理解し易くするために、切断ユニット５は左右２個所のみ描いてある。
【００１２】
次に、モータ１０の駆動でスクリューロッド８を回転させることにより、昇降ブロック１２の昇降変位を介し左右の切断トーチ１３の高さ位置調整を行って、左右の切断トーチ１３を切断線２０の位置に一旦合わせるようにし、かかる状態において、図１（ロ）及び図４に示す如く、切断トーチ１３を下降させながら、縦方向に延びる２本のスリット２１を、胴板３の上端部に所要の長さだけ形成させて、胴板３の上端部にコの字型の狭幅胴板片３ａと広幅胴板片３ｂを周方向に交互に形成させるようにする。
【００１３】
しかる後、図４及び図５に示す如く、後方に退避させておいた楔ブロック１７を前進させることにより先端の楔部１５を狭幅胴板片３ａの上端部に打ち込み、狭幅胴板片３ａの上端部をタンク１の内方へ湾曲させた後、上記楔ブロック１７をフレーム６に溶接等によって固定させるようにする。これにより、屋根４の自重を切断ユニット５の楔ブロック１７を介して上記狭幅胴板片３ａで受けさせるようにする。なお、狭幅胴板片３ａの上端部への楔ブロック１７の打ち込みに際しては、図４において二点鎖線で示す如く、たとえば、高所作業車やフレーム６等に支持をとらせたジャッキ２２を用いるようにすると、能率よく行うことができる。続いて、図１（ハ）及び図６に示す如く、狭幅胴板片３ａの間に形成された広幅胴板片３ｂの上端部に、適数個の楔１４を外側から斜め下向きに打ち込んで広幅胴板片３ｂをタンク１の外方へ湾曲させた後、上記各楔１４を屋根４の下端部に溶接して固定させるようにする。なお、楔１４の打ち込みに際しても、図４に示したようなジャッキ２２を用いると効率的である。
【００１４】
上記の状態において、各切断ユニット５の切断トーチ１３を更に下降させながら該切断トーチ１３によってスリット２１を下方へ延長形成させるようにすると、スリット２１が延長形成された分だけ狭幅胴板片３ａ及び広幅胴板片３ｂは曲り易くなるので、屋根４の重量と、楔ブロック１７及び楔１４の傾斜面の作用により、図１（ニ）に示す如く、狭幅胴板片３ａ及び広幅胴板片３ｂが更に押し曲げられることになって屋根４が自重で下降することになる。したがって、同様に、各切断トーチ１３を用いて図１（ニ）において二点鎖線で示す如くスリット２１を胴板３の下端部付近まで順次延長して行くことにより、図１（ホ）に示す如く、屋根４を底板２の近くまで徐々に下降させて行くようにする。屋根４が底板２の近くまで下降すると、図７に示す如く、狭幅胴板片３ａはすべて内側に、又、広幅胴板片３ｂはすべて外側に展開されたような状態にさせられる。
【００１５】
このように、胴板３を唐竹割りを行う如く切断して行くことにより、クレーンやエア浮上等の動力を用いることなく屋根４を降下させることができるので、屋根４及び胴板３を細かく切断する作業をすべて低所にて能率よく行うことができる。
【００１６】
なお、上記実施の形態では、フレーム６に搭載した切断機としてはガス切断トーチの場合を示したが、グラインダーやウォータージェット切断機等を用いるようにしてもよいこと、又、実施の形態では、狭幅胴板片３ａ（広幅胴板片３ｂ）を周方向に８個所形成するようにした場合を示したが、この数は、タンク１の径、材質及び厚さと屋根４の重量等の兼ね合いで、狭幅胴板片３ａと広幅胴板片３ｂを押し曲げて展開させるのに適した数を選定すればよいこと、更に、切断ユニット５に備える楔として、中央部に長孔１６を設けてスクリューロッド８と干渉することなく前後方向に移動できるようにした楔ブロック１７を示したが、先端部の楔部１５のみとして、該楔ブロック１７をフレーム６に支持させるようにしてもよいこと、その他本発明の要旨を逸脱しない範囲内において種々変更を加え得ることは勿論である。
【００１７】
【発明の効果】
以上述べた如く、本発明の自立屋根付きタンクの解体法によれば、胴板と屋根の接合部を切断し、切断ユニットの切断機にて、胴板の上端部の円周方向所要間隔位置にスリットを２本宛入れて狭幅胴板片と広幅胴板片を交互に形成し、該狭幅胴板片の上端部に楔を打ち込んで狭幅胴板片を内側に曲げて、屋根の自重を上記楔を介して狭幅胴板片に受けもたさせた後、狭幅胴板片間に形成された広幅胴板片の上端部に楔を打ち込んで広幅胴板片を外側に曲げた状態として、上記スリットを延長して行くことにより、屋根の自重を、狭幅胴板片と広幅胴板片の押し曲げ力として作用させて、屋根を自重にて徐々に下降させた後、屋根と胴板を細かく切断する作業を低所にて行うようにするので、高所で屋根を細かく切断する作業やクレーンによる屋根の吊り降ろし作業を不要とすることができ、これにより、タンクの解体を能率よく行うことができて、クレーンを用いる場合に比して工期を大幅に短縮することができ、又、狭幅胴板片又は広幅胴板片の上端部に打ち込む楔を、ジャッキで押し込むようにすることによって、作業性を更に向上することができる、等の優れた効果を発揮する。
【図面の簡単な説明】
【図１】本発明の自立屋根付きタンクの解体法の実施の一形態を示すもので、（イ）（ロ）（ハ）（ニ）（ホ）は解体作業の手順に沿って示した概略側面図である。
【図２】切断ユニットの一例を示す拡大側面図である。
【図３】図２のＤ−Ｄ矢視図である。
【図４】作業途中における切断ユニットの状態を示すもので、図１（ロ）のＡ部拡大図である。
【図５】図４のＥ−Ｅ矢視図である。
【図６】図１（ハ）のＢ部拡大断面図である。
【図７】図１（ホ）のＣ−Ｃ矢視図である。
【符号の説明】
１  タンク
３  胴板
３ａ  狭幅胴板片
３ｂ  広幅胴板片
４  屋根
５  切断ユニット
１３  切断トーチ（切断機）
１４  楔
１７  楔ブロック（楔）
１９  接合部
２０  切断線
２１  スリット
２２  ジャッキ
【図１】
0003557767.tif 000002
【図２】
0003557767.tif 000003
【図３】
0003557767.tif 000004
【図４】
0003557767.tif 000005
【図５】
0003557767.tif 000006
【図６】
0003557767.tif 000007
【図７】
0003557767.tif 000008